(57)【要約】技術サポートシステムは情報の入出力インタフェースとしてウェブページを提供するＳＩＰ部と、様々なクレームレポートおよびこれらレポートについて得られた解決策を保持するＫＢ部と、少なくともクレームタイトルが顧客用ウェブページに入力されるクレーム内容に基づいて所定項目の定義情報の組み合わせに構造化された新規クレームレポートをＫＢ部に登録して技術者からの回答を必要とする未解決のクレームとして管理するＣＨ部とを備える。特に、ＣＨ部は新規クレームレポートに対する市場対策作業を複数の技術部署に分担させるタクスシートを発行し、これら技術部署から返送されるタスクシートに基づいて市場対策作業の進捗状況を更新するように構成される。【特許請求の範囲】
【請求項１】
情報の入出力インタフェースとしてウェブページを提供するサービス情報ポータル部と、様々なクレームレポートおよびこれらレポートについて得られた解決策を保持するナレッジベース部と、少なくともクレームタイトルが顧客用ウェブページに入力されるクレーム内容に基づいて所定項目の定義情報の組み合わせに構造化された新規クレームレポートを前記ナレッジベース部に登録して技術者からの回答を必要とする未解決のクレームとして管理するクレームハンドリング部とを備え、前記クレームハンドリング部は新規クレームレポートに対する市場対策作業を複数の技術部署に分担させるタクスシートを発行し、これら技術部署から返送されるタスクシートに基づいて市場対策作業の進捗状況を更新するように構成される技術サポートシステム。
【請求項２】
前記クレームハンドリング部は市場対策作業の進捗状況を可視化して提示するように構成される請求項１に記載の技術サポートシステム。
【請求項３】
様々なクレームレポートおよびこれらレポートについて得られた解決策を保持するナレッジベース部を用いた技術サポート方法であって、
情報の入出力インタフェースとしてウェブページを提供するステップと、
少なくともクレームタイトルが顧客用ウェブページに入力されるクレーム内容に基づいて所定項目の定義情報の組み合わせに構造化された新規クレームレポートをナレッジベース部に登録して技術者からの回答を必要とする未解決のクレームとして管理するステップと、新規クレームレポートに対する市場対策作業を複数の技術部署に分担させるタクスシートを発行し、これら技術部署から返送されるタスクシートに基づいて市場対策作業の進捗状況を更新するステップとを備える技術サポート方法。
【請求項４】
前記進捗状況更新ステップは市場対策作業の進捗状況を可視化して提示するように構成される請求項３に記載の技術サポート方法。
【請求項５】
少なくともクレームタイトルが顧客用ウェブページに入力されるクレーム内容に基づいて所定項目の定義情報の組み合わせに構造化された新規クレームレポートをナレッジベース部に登録して技術者からの回答を必要とする未解決のクレームとして管理するクレームハンドリング部とを備える技術サポートシステム用サーバにおいて新規クレームレポートに対する市場対策作業を複数の技術部署に分担させるタクスシートを発行し、これら技術部署から返送されるタスクシートに基づいて市場対策作業の進捗状況を更新する処理を前記クレームハンドリング部に実行させるプログラムを記録した記録媒体。
【請求項６】
前記クレームハンドリング部が市場対策作業の進捗状況を可視化して提示する処理を行うように構成されるプログラムを記録した請求項５に記載の記録媒体。
【発明の詳細な説明】
【技術分野】
【０００１】
本発明は、例えば世界的に展開された技術サービス網で得られた自社製品に関する様々なクレームに対して技術的なサポートを行う技術サポートシステムに関する。
【背景技術】
【０００２】
近年では、多数の企業が製品販売拠点として海外に設立された現地法人(Subsidiaries)を持つ。典型的な企業では、これら現地法人が例えば代理店(Distributors)およびディーラ(Dealers)を経由して最終ユーザに製品を販売する。また、製品の保守および修理のような技術サービスはディーラおよびダイレクトサービス組織(Direct Service organization)から最終ユーザに提供される。主要現地法人は管轄市場内のディーラおよびダイレクトサービス組織等から直接的あるいは代理店や一般現地法人を介して間接的に報告される様々なクレームを処理(handle)し、ここで処理できないクレームを本社の技術サービス部門(Engineering and Service Department)に報告する体制をとっている。
【０００３】
この技術サービス部門は顧客となる現地法人と工場(factory)または納入業者(third vender)の製品技術部門(Product Technology Department)との仲介役であり、現地法人から報告されたクレームに対する解決策を製品技術部門の担当技術者に要求する。この担当技術者はクレームの内容を確認し、このクレーム内容の原因を究明し、さらにこの原因を取り除く解決策について検討するサポート作業を行う。技術サービス部門はこのサポート作業後に担当技術者から通知される解決策を確認し、市場毎に異なる技術サポート方針に適合するようこの解決策に基づいてクレーム処理案を作成し、これをクレームに対する回答書として上述の現地法人に通知する。
【発明の開示】
【発明が解決しようとする課題】
【０００４】
従来、上述のディーラ、ダイレクトサービス組織、代理店、一般現地法人、主要現地法人、技術サービス部門、および製品技術部門は図１に示すような階層構造を持つように専用回線またはインターネット回線で接続され、情報伝達媒体として電子メールを利用している。技術サポートにおいて、各サービス層は常に下位サービス層から電子メールで届いたクレームレポートに対する解決策をデータベース等で検索し、さらにこの検索で見つからなかった解決策を上位サービス層に求める必要がある。このため、クレームレポートの停滞が最下位サービス層から最上位サービス層に向かうエスカレーションにおいて発生しやすい。
【０００５】
また、製品技術部門は製品の設計および製造を主な業務としているため、技術サービス部門からの要求を受け付けても、サポート作業を開始できない状況、サポート作業を中断すべき状況、クレームの原因を容易に特定できない状況等においてサポート作業の遅れが頻繁に発生する。
【０００６】
さらに、技術サービス部門は上述のように遅れるサポート作業の進捗状況を全て把握することができず、未解決のクレームレポートを蓄積させてしまう傾向にある。また、ある製品で発生したクレームに対する解決策を製品仕様の異なる他市場で販売された製品で発生した同様のクレームに適用できるとは限らないため、技術サービス部門は様々な市場を管轄する現地法人からのクレームレポートを全て受け付ける必要がある。
【０００７】
従って、上述のような技術サポート体制は結果的に技術サービス部門に過大な負担を強いるもので、技術サービス部門の規模を拡大させずに将来に渡ってその機能を維持することは極めて難しい。
【０００８】
本発明の目的は製品に関するクレームの市場対策を迅速に行うことができる技術サポートシステムを提供することにある。
【課題を解決するための手段】
【０００９】
本発明によれば、情報の入出力インタフェースとしてウェブページを提供するサービス情報ポータル部と、様々なクレームレポートおよびこれらレポートについて得られた解決策を保持するナレッジベース部と、少なくともクレームタイトルが顧客用ウェブページに入力されるクレーム内容に基づいて所定項目の定義情報の組み合わせに構造化された新規クレームレポートをナレッジベース部に登録して技術者からの回答を必要とする未解決のクレームとして管理するクレームハンドリング部とを備え、クレームハンドリング部は新規クレームレポートに対する市場対策作業を複数の技術部署に分担させるタクスシートを発行し、これら技術部署から返送されるタスクシートに基づいて市場対策作業の進捗状況を更新するように構成される技術サポートシステムが提供される。
【発明の効果】
【００１０】
この技術サポートシステムでは、クレームハンドリング部が新規クレームレポートに対する市場対策作業を複数の技術部署に分担させるタクスシートを発行し、これら技術部署から返送されるタスクシートに基づいて市場対策作業の進捗状況を更新する。従って、複数の技術部署が市場対策作業の一部を並行して行うことができるうえ、他の技術部署の作業結果を待つ必要がある場合でもこの作業結果が得られた直後に遅延無く次の作業を開始できる。このため、全体として製品に関するクレームを迅速に解決することができる。
【００１１】
また、少なくともクレームタイトルが顧客用ウェブページに入力されるクレーム内容に基づいて所定項目の定義情報の組み合わせに構造化された新規クレームレポートがナレッジベース部に登録され、技術者からの回答を必要とする未解決のクレームとして管理される。このため、クレームレポートに対して既に解決策が得られているかを高い精度で検索することができる。この検索で解決策が見つかれば、この解決策に基づいてクレームを迅速に解決できるため、技術者が市場対策の必要性について再検討する手間を省くことができる。
【００１２】
本発明の付加的な目的および利点は、後続の記述で説明され、この記述から部分的に明らかであるか、発明の実施によって知ることができる。これら本発明の目的および利点は、特に以降で指摘した手段および組み合わせによって実現して得ることができる。
【００１３】
本明細書に組み込まれてその一部を構成する添付図面は、本発明の実施形態を例示し、以上の一般的記述および以下の実施形態の詳細な記述と共に発明の要旨の説明に役立てるものである。
【発明を実施するための最良の形態】
【００１４】
以下、添付図面を参照して本発明の一実施形態に係る技術サポートシステム１について説明する。この技術サポートシステム１は、図１に示す技術サービスの階層構造にも適用できるように構成され例えば東京の技術サービス部門に配置されるサーバである。このサーバは例えばコピー機やファクシミリ等の製品の販売拠点となる世界中の主要現地法人を顧客としてインターネットに接続され、技術サービス部門の従業員の代わりにこれら顧客と工場(factory)または納入業者(third vender)の製品技術部門(Product Technology Department)との仲介役を果たす。
【００１５】
図２はこの技術サポートシステム１とこれにつながるネットワーク網を示す。この技術サポートシステム１はサービス情報ポータル（ＳＩＰ）部１０、管理情報システム（ＭＩＳ）部１２、クレームハンドリング（ＣＨ）部１４、ナレッジベース（ＫＢ）部１６、マスタデータベース（ＭＤＢ）部１８、データウェアハウス（ＤＷＨ）部２０、通信インタフェース２２を備える。これらＳＩＰ部１０、ＭＩＳ部１２、ＣＨ部１４、ＫＢ部１６、ＭＤＢ部１８、ＤＷＨ部２０、社内ＬＡＮ用通信インタフェース２２は例えば共通のシステムバスにより接続される複数のサーバコンピュータの組み合わせにより構成され、ＭＩＳ部１２およびＣＨ部１４はサーバコンピュータのアプリケーションソフトウェアとして技術サポートシステム１に組み込まれている。
【００１６】
ＳＩＰ部１０は情報の入出力インタフェースとしてインターネット２６上で顧客端末２４にウェブページを提供する。ＭＩＳ部１２はＳＩＰ部１０を介して顧客端末２４にアクセス可能であり、様々なレポート情報の収集および解析を行う。マスタデータベース１８はＭＩＳ部１２で収集された情報、その他の情報を一括して保持し、ＤＷＨ部２０はＭＩＳ部１２がＭＤＢ部１８に保持される情報を解析するための解析ルールを保持する。ＫＢ部１６はＭＤＢ部１８にもバックアップされる様々なクレームレポートおよびこれらレポートについて製品技術部門の技術者から回答された解決策を保持する。ＣＨ部１４は少なくともクレームタイトルがＳＩＰ部１０で提供される顧客用ウェブページに入力されるクレームに基づいて所定項目の定義情報の組み合わせに構造化された新規クレームレポートをＫＢ部１６に登録し、技術者からの回答を必要とする未解決のクレームとして管理する。
【００１７】
図３はこの技術サポートシステム１での情報の流れを示す。顧客端末２４、すなわちウェブユーザがクレームに関して問い合わせをすると、これがクレームレポートとしてＣＨ部１４に供給される。ＣＨ部１４はこのクレームに対する解決策についてＫＢ部１６をチェックし、ＫＢ部１６に保持された解決策を受け取る。ここで、解決策が存在しない場合に製品技術部門に回答を求め、この結果として得られた解決策を新規解決策としてＫＢ部１６に登録し顧客にも回答書として通知する。ＫＢ部１６は様々なクレームレポートおよびそれらの解決策だけでなく、社内ＬＡＮから供給される地域固有情報および東京中央情報についても保持する。地域固有情報は市場地域毎に異なる技術サポート方針を含み、東京中央情報は関連技術の内部資料および第三者資料を含む。ＣＨ部１４は技術サービス部門の従業員であるオペレータによってサーバコンピュータのコンソールから未解決のクレームレポートに対するサポート進捗状況を確認できるように構成される。また、ＭＩＳ部１２は顧客端末２４側で蓄積されたワランティレポートデータ、コールセンタデータ、セットアップレポートデータ、サービスパーツ使用データ、クレームレポートデータ等を様々なレポート情報として収集する。
【００１８】
図４はこの技術サポートシステム１を図１に示すような従来の階層構造への適用した例を示す。この例では、主要現地法人だけがインターネット２６を介して技術サポートシステム１にアクセスすることを許可され、ディーラ、ダイレクトサービス組織、代理店、一般現地法人がこの技術サポートシステム１にアクセスすることは許可されない。ディーラでは、フィールドサービスマンがステップＳＴ１０１で製品の保守および修理のようなフィールドサービスを行う。フィールドサービスマンからの作業レポートがステップＳＴ１０２でこのフィールドサービス後にファイルされると、作業レポートの解析がステップＳＴ１０３で行われる。多数の同様クレームが存在する異常事態が検出されると、クレームレポートがステップＳＴ１０４で上位サービス層となる主要現地法人に対して発行される。
【００１９】
主要現地法人では、従業員がステップＳＴ１０５でこのクレームレポートの内容を独自に収集されたワランティレポートデータ、コールセンタデータ、セットアップレポートデータ、サービスパーツ使用データ、クレームレポートデータ等を様々なレポート情報の内容と共に確認し、コンピュータのオペレータによりデータベースに登録する。このオペレータはステップＳＴ１０６でこのクレームレポートのクレームに対する解決策が既にデータベースに存在するかチェックし、この解決策がデータベースに存在することがステップＳＴ１０７で検出された場合にステップＳＴ１０８でこの解決策に基づいてディーラに回答書を送る。他方、この解決策が存在しない場合、このオペレータはステップＳＴ１０９で上位サービス層となる東京の技術サービス部門の技術サポートシステム１をインターネット２６でアクセスし、この技術サポートシステム１によりこの主要現地法人の顧客端末２４に提供される顧客用ウェブページで技術サービス部門にクレームを報告する。
【００２０】
技術サービス部門では、技術サポートシステム１がステップＳＴ１１０でこのクレームレポートの内容確認および検証を行い、ステップＳＴ１１１でこのクレームに対する解決策が存在するかチェックし、この解決策がデータベースに存在することがステップＳＴ１１２で検出された場合にステップＳＴ１１３でこの解決策に基づいて現地法人に回答書を送る。他方、この解決策が存在しない場合、ステップＳＴ１１４でこのクレームレポートを上位サービスレベルの製品技術部門にエスカレーションする。ここで、製品技術部門が例えば製品企画部(Product Planning Section)、設計製造部(Design and Manufacturing Section)、その他の部署で構成される場合には、いずれかの部署を指定してクレームに対する解決策を要求する。図４で、ステップＳＴ１１０以降は全て技術サポートシステム１内の処理である。
【００２１】
図５はディーラで発行されたクレームレポートのような非定型クレームの報告処理を示す。この報告処理は技術サポートシステム１内の処理である。この報告処理が顧客用ウェブページで選択されると、ＣＨ部１４がステップＳＴ２０１で自然語に近い形式でこの顧客用ウェブページに入力されるクレーム内容から入手可能な情報、例えば製品ユニットおよび問題現象により特定される類似クレームの存在を確認するナレッジベース検索を行う。このナレッジベース検索では、様々な地域の言語で表される製品ユニットおよび問題現象が例えば図６および図７に示す同義語テーブルを用いてユニットコードおよび現象コードに変換され、ＫＢ部１６がこれらコードにより検索される。この検索結果として、類似クレームに対する解決策がＫＢ部１６に存在することがステップＳＴ２０２で検出されると、この解決策に基づく回答書がステップＳＴ２０３で回答支援モジュール１４Ａを用いて自動的に作成され、ステップＳＴ２０４で主要現地法人に対して発行される。ここで、この回答支援モジュール１４Ａは市場地域毎に異なる技術サポート方針に適合するように回答書を作成する。尚、上述の同義語テーブルの他に同一モデルが市場地域によって異なるモデル番号に設定されている場合に対応するテーブルとして設けられても良い。また、図６および図７に示す同義語テーブルでは、英語および日本語の同義語が関連付けられているが、これらテーブルは例えば日本語やドイツ語を標準言語である英語に変換してシステム内の言語を統一する変換テーブルとして設けられても良い。これにより、他の市場地域を管轄する主要現地法人からの類似クレームに対する解決策を見つけることが可能となる。
【００２２】
他方、類似クレームに対する解決策がＫＢ部１６に存在しなければ、クレームレポートがステップＳＴ２０５で報告支援モジュール１４Ｂを用いて新規に作成され、ステップＳＴ２０６で発行される。報告支援モジュール１４Ｂは顧客用ウェブページに入力されるクレーム内容から入手可能な情報を自動的にクレームレポートに組み込み、技術者による解決策の検討に必要であって欠落している情報の入力を要求する。クレームレポートはこの要求に対して入力される情報により定型化される。具体的には、図８に示すようなa:報告元、b:重要度、c:クレームカテゴリ、d:クレームタイトル、e:クレーム詳細、f:発生状況のような情報がクレームレポートにおいて必要とされる。
図９はクレームレポートに組み込まれた項目c, d, e, fの具体的な内容を示す。項目c:はキーワードおよびコードの単純一致によるクレームカテゴリからの類似クレーム検索用であり、製品モデル，現象コード，ユニットコード，原因コード，エラーコードを含むように作成される。項目d:はクレームタイトルによる類似クレーム検索用であり、現象，場所，原因のような項目の定義情報である語句を組み合わせた構造のフレーズとして作成される。図９に示すクレームタイトル以外の例としては、例えば"Dark copy image due to poor adjustment in optical unit"、"Abnormal noise from drive gear in fuser unit"、"Breakage of front cover due to poor package material"がある。項目e:はクレーム詳細による類似クレーム検索用であり、問題現象、発生場所または関連ユニット、原因、対処方法のような項目を含む自由な記述として作成される。項目f:は発生状況による類似クレーム検索用であり、製造番号，ソフトウェアバージョン番号，障害部品番号，トータルコピーカウンタ値を含むように作成される。
【００２３】
図１０は図８に示すクレームレポートのような定型クレームの報告処理を示す。この報告処理は技術サポートシステム１内の処理である。図５に示す報告処理でクレームレポートが発行されたときに実行されると共に、顧客用ウェブページでの選択により定型化したクレームレポートが入力されたときに実行される。この報告処理では、ＣＨ部１４がステップＳＴ３０１でこのクレームレポートについてクレームカテゴリ、クレームタイトル、クレーム詳細、発生状況による検索を行う。このクレームレポートがＫＢ部１６に既に登録されていることがステップＳＴ３０２で検出されれば、回答書がステップＳＴ３０３で回答支援モジュール１４Ａを用いて自動的に作成され、主要現地法人に対して発行される。ここで、回答支援モジュール１４Ａはこのクレームレポートに対する解決策がある場合に解決策に基づく回答書を作成し、この解決策が無い場合にサポート進捗状況に基づく回答書を作成する。
【００２４】
他方、このクレームレポートがＫＢ部１６に登録されていなければ、ステップＳＴ３０４でクレームレポートに項目抜けが無いかチェックされる。もし項目抜けがあることがステップＳＴ３０５で検出されれば、この項目の入力がステップＳＴ３０６で顧客用ウェブページで要求される。ステップＳＴ３０７でこの項目の情報入力が検出された後に再びＫＢ部１６を検索しても、クレームレポートが登録されていなければ、項目抜けが無いことをステップＳＴ３０４で確認してステップＳＴ３０８でこのクレームレポートをＫＢ部１６に新規に登録する。
【００２５】
続いて、ＣＨ部１４はステップＳＴ３０９で登録されたクレームレポートのクレームについて責任をもつ製品技術部門の担当部署にサポート作業を割り当てる部署割当処理を行う。具体的には、製品技術部門の部署は例えば機械、電気、ソフトウェアのような設計、製造、および仕様等により予め区分されているため、製品モデルおよび原因がどの部署に関連するかクレームレポートの内容から調べられる。
【００２６】
続いて、ＣＨ部１４はステップＳＴ３１０でスケジュール管理情報をＫＢ部１６に登録されたクレームレポートに付加し、さらにＭＩＳ部１２により得られるようなサポートバックアップ資料を添付してこのクレームレポートに対するサポート作業を担当部署に要求する。この要求はＳＩＰ部１０によりインターネット２６または社内ＬＡＮ上に提供される技術者用ウェブページで行われる。サポートバックアップ資料は例えばクレームの重要度あるいは深刻度に応じた補足情報、フィールドサービスコール分析データ、関連サービスパーツ出荷状況、製品ＰＳＩ情報、その他の情報で構成される。スケジュール管理情報はサポート作業要求日、サポート作業開始予定日、サポート作業開始日、サポート作業完了予定日、サポート作業完了日、担当部署の監督技術者および担当技術者を表すデータを含む。サポート作業要求日、担当部署を表すデータはＣＨ部１４によって自動的に記録される。サポート作業開始予定日、サポート作業開始日、サポート作業完了予定日、サポート作業完了日、監督技術者、および担当技術者を表すデータは技術者用ウェブページから入力され記録される。この技術者用ウェブページでは、ＭＤＢ部１８に保持される業務スケジュールテーブルを参照して担当部署の技術者別スケジュールをチェック可能であり、さらに担当分野、経験、および技術レベルを考慮してクレームの解決に最も適切な技術者にステップＳＴ３１１で決定される。また、現地法人に対してクレームレポートに対する解決策を検討中である旨のメッセージおよび今後のサポート作業スケジュールを通知する。
【００２７】
上述のクレーム報告処理はステップＳＴ３１２でサポート作業開始予定日およびサポート作業完了予定日、監督技術者、および担当技術者を表すデータが技術者用ウェブページから入力され記録されたことを確認して終了する。
【００２８】
図１２はクレームレポートに基づいて製品技術部門全体で行われる市場対策作業の段階的遷移を示す。クレームレポートが製品技術部門で受け付けられると、このクレームレポートの内容確認および検証が第１段階ＶＲで行われ、原因究明および対策評価が第２段階ＣＥで行われ、対策試作および対策評価テストが第３段階で行われる。クレーム内容が将来的に部品の変更を必要とするような場合には、さらに生産適用部品の準備が第４段階で行われ、この部品の市場における対策効果のモニタが第５段階で行われる。
【００２９】
ＣＨ部１４は市場対策作業の進捗状況を図１２に示す形式で可視化して提示する機能を有する。検証段階ＶＲ、対策評価段階ＣＥ、対策評価テスト段階ＥＴ、対策部品準備段階ＣＰ、および対策効果モニタ段階ＭＮの結果はそれぞれ回答書として技術サポートシステム１に報告される。技術サポートシステム１では、市場対策作業の進捗状況がＶＲ、ＣＥ、ＥＴ、ＣＰ、ＭＮのように順番に作業報告に伴って更新されるステータスあるいはパーセンテージで表示される。また、市場対策作業の進捗状況は例えば図１３に示すマスターステータスを技術サポートシステム１内で自動更新するタスクシートで管理することも可能である。ＣＨ部１４は新規クレームレポートに対する市場対策作業を複数の技術部署に分担させるタクスシートを発行し、これら技術部署から作業報告として返送されるタスクシートに基づいて市場対策作業の進捗状況を更新する。
【００３０】
図１３に示すように、タスクシートＴＡＳＫ１が設計部に対して発行されると、この時点でマスターステータスがクレームレポートの内容確認および検証を行う段階ＶＲとなる。この後、タスクシートＴＡＳＫ２およびＴＡＳＫ３が製造部および設計部に対して同時に発行されたとき、タスクシートＴＡＳＫ１の作業は未完了であるため、マスターステータスは段階ＶＲに維持される。この後、タスクシートＴＡＳＫ１の作業が設計部で完了し、タスクシートＴＡＳＫ１がＣＨ部１４に返送されると、マスターステータスは原因究明および対策評価を行う段階ＣＥに変更される。また、タスクシートＴＡＳＫ１の返送に伴って、タスクシートＴＡＳＫ４が品証部に対して発行される。このあと、タスクシートＴＡＳＫ１〜ＴＡＳＫ３のいずれも返送されない状態にある間、マスターステータスは段階ＣＥに維持される。タスクシートＴＡＳＫ３の作業が設計部で完了し、タスクシートＴＡＳＫ３がＣＨ部１４に返送されると、マスターステータスは対策試作および対策評価テストを行う段階ＥＴに変更される。さらに、タスクシートＴＡＳＫ２の作業が製造部で完了し、タスクシートＴＡＳＫ２がＣＨ部１４に返送されると、マスターステータスは生産適用部品の準備を行う段階ＣＰに変更される。タスクシートＴＡＳＫ４の作業が品証部で完了し、タスクシートＴＡＳＫ４がＣＨ部１４に返送されると、マスターステータスは対策完了となる段階ＭＮに変更される。尚、段階ＭＮでは、さらに対策内容が発明報告として特許部門にインタフェース２２を介して報告される。このような段階ＭＮは全てのタスクシートが返送されてタスクステータスがクローズされた状態で設定され、マスターステータスもクローズされる。
【００３１】
この技術サポートシステムでは、ＣＨ部１４が新規クレームレポートに対する市場対策作業を複数の技術部署に分担させるタクスシートを発行し、これら技術部署から返送されるタスクシートに基づいて市場対策作業の進捗状況を更新する。従って、複数の技術部署が市場対策作業の一部を並行して行うことができるうえ、他の技術部署の作業結果を待つ必要がある場合でもこの作業結果が得られた直後に遅延無く次の作業を開始できるる。このため、全体として製品に関するクレームを迅速に解決することができる。
【００３２】
また、少なくともクレームタイトルが顧客用ウェブページに入力されるクレーム内容に基づいて所定項目の定義情報の組み合わせに構造化された新規クレームレポートがナレッジベース部に登録され、技術者からの回答を必要とする未解決のクレームとして管理される。このため、クレームレポートに対して既に解決策が得られているかを高い精度で検索することができる。この検索で解決策が見つかれば、この解決策に基づいてクレームを迅速に解決できるため、技術者が市場対策の必要性について再検討する手間を省くことができる。
【００３３】
サポート作業の進捗状況は図１２に示すＶＲ、ＣＥ、ＥＴ、ＣＰ、ＭＮのように順番に作業報告に伴って更新されるステータスあるいはパーセンテージとしてディスプレイで可視化される。このため、進捗状況の把握が容易である。
【００３４】
ＫＢ部１６にクレームレポートが存在しても、その解決策が得られていない場合に、そのサポート作業の進捗状況が回答として作成されるため、現地法人等の顧客が解決策を得られる時期を容易に知ることができる。
【００３５】
上述の実施形態では、技術サポートシステム１がコピー機やファクシミリなどの製品に関するクレームを処理するものとして説明したが、本発明はこれに限定されない。また、本発明は世界的に展開された技術サービス網だけでなく、複数の市場地域が単一の国内に存在する場合にも適用できる。さらに、技術サポートシステム１のＳＩＰ部１０、ＭＩＳ部１２、ＣＨ部１４、ＫＢ部１６、ＭＤＢ部１８、ＤＷＨ部２０の少なくとも一つが上述の実施形態で説明した機能のアプリケーションソフトウェアを記録媒体からインストールまたはインタフェース２２を介してダウンロードしたサーバコンピュータで構成されてもよい。
【００３６】
付加的な利点および変形例は当該技術における熟練者にとってすぐに思いつくはずである。このため、より広い観点での本発明はここに示して述べた具体的詳細および代表的実施形態に限定されるものではない。従って、添付請求項およびそれらの均等物によって定義される一般的な発明概念の精神および範囲を逸脱せずに様々に変形することができる。
【図面の簡単な説明】
【００３７】
【図１】従来の技術サービスの階層構造を示す図である。
【図２】本発明の一実施形態に係る技術サポートシステムの構造とこれにつながるネットワーク網を示す図である。
【図３】図２に示す技術サポートシステムでの情報の流れを示す図である。
【図４】図２に示す技術サポートシステムを従来の階層構造への適用した例を示す図である。
【図５】図４に示すディーラで発行されるクレームレポートのような非定型クレームの報告処理を示すフローチャートである。
【図６】図５に示すナレッジベース検索で現象コードを特定するための同義語テーブルを示す図である。
【図７】図５に示すナレッジベース検索でユニットコードを特定するための同義語テーブルを示す図である。
【図８】図５に示すナレッジベース検索でエラーコードを特定するための同義語テーブルを示す図である。
【図９】図５に示す非定型クレームの報告処理で作成されるクレームレポートを示す図である。
【図１０】図９に示すクレームレポートに組み込まれた項目の具体的な内容を示す図である。
【図１１】図９に示すクレームレポートのような定型クレームの報告処理を示すフローチャートである。
【図１２】図９に示すクレームレポートに基づいて製品技術部門全体で行われる市場対策作業の段階的遷移を示す図である。
【図１３】図１２に示す市場対策作業を複数の技術部署に分担させるタスクシートを用いて管理した例を示す図である。
【符号の説明】
【００３８】
１０…サービス情報ポータル（ＳＩＰ）部、１６…ナレッジベース（ＫＢ）部、１４…クレームハンドリング（ＣＨ）部。
【図１】
2005507530.tif 000002
【図２】
2005507530.tif 000003
【図３】
2005507530.tif 000004
【図４】
2005507530.tif 000005
【図５】
2005507530.tif 000006
【図６】
2005507530.tif 000007
【図７】
2005507530.tif 000008
【図８】
2005507530.tif 000009
【図９】
2005507530.tif 000010
【図１０】
2005507530.tif 000011
【図１１】
2005507530.tif 000012
【図１２】
2005507530.tif 000013
【図１３】
2005507530.tif 000014
【国際公開パンフレット】
2005507530.tif 000015
2005507530.tif 000016
2005507530.tif 000017
2005507530.tif 000018
2005507530.tif 000019
2005507530.tif 000020
2005507530.tif 000021
2005507530.tif 000022
2005507530.tif 000023
2005507530.tif 000024
2005507530.tif 000025
2005507530.tif 000026
2005507530.tif 000027
2005507530.tif 000028
2005507530.tif 000029
2005507530.tif 000030
2005507530.tif 000031
2005507530.tif 000032
2005507530.tif 000033
2005507530.tif 000034
2005507530.tif 000035
2005507530.tif 000036
2005507530.tif 000037
2005507530.tif 000038
2005507530.tif 000039
2005507530.tif 000040
2005507530.tif 000041
2005507530.tif 000042
2005507530.tif 000043
2005507530.tif 000044
2005507530.tif 000045
2005507530.tif 000046
2005507530.tif 000047
2005507530.tif 000048
2005507530.tif 000049
2005507530.tif 000050
2005507530.tif 000051
2005507530.tif 000052